(57)【特許請求の範囲】
【請求項１】
湯沸かし容器を内蔵した本体と、前記湯沸かし容器に一端が接続され他端に注水口を設けた給水路と、前記注水口に水を供給する供給パイプを有した貯水タンクと、注水口に設けられ前記供給パイプの当接により開口される注水口弁とを備え、前記供給パイプに切り欠きまたは孔を設け、貯水タンクの水を注水口の一部分から注水する電気湯沸かし器。
【請求項２】
注水口の内側面と注水口弁との隙間を不均一にした請求項１に記載の電気湯沸かし器。
【請求項３】
注水口の下方に隔壁と孔を設け、前記隔壁の下に本体の傾斜により動作して前記孔を塞ぐ逆止弁を備えた請求項１または２に記載の電気湯沸かし器。
【請求項４】
逆止弁を収納した収納部の内側面と逆止弁との隙間を不均一にした請求項３に記載の電気湯沸かし器。
【請求項５】
注水口の下方の孔位置を逆止弁に対し偏心させた請求項３または４に記載の電気湯沸かし器。
【請求項６】
注水口弁を閉口方向に付勢する圧縮バネで支持し、圧縮バネの端面を載置するリブを隔壁の孔から径方向に設けた請求項３〜５のいずれか１項に記載の電気湯沸かし器。
【発明の詳細な説明】
【０００１】
【発明の属する技術分野】
本発明は主に一般家庭で使用される電気湯沸かし器に関するものである。
【０００２】
【従来の技術】
従来、この種の電気湯沸かし器は、図１０に示すような構造が一般的で、近年、使い勝手をよくするため大容量化してきた。図において、１は本体で、本体１には湯沸かし容器２が内蔵され、湯沸かし容器２の底には加熱手段（図示せず）が取り付けられている。湯沸かし容器２内の水は加熱手段により、加熱された後、一定温度に保温される。３は湯沸かし容器２に接続され、湯を本体１外へ導出するポンプである。４は本体１の上部に取り付けられ湯沸かし容器２の上方開口部を覆う蓋体である。
【０００３】
次に、前記従来の電気湯沸かし器の操作および動作について説明する。湯を沸かす場合には、まず蓋体４を開けて湯沸かし容器２に水を注ぎ加熱手段に通電する。すると、湯沸かし容器２内の水が加熱されて沸き上がり、その後一定温度に保温される。湯を使う場合にはポンプ３を駆動して湯を本体１の外へ導出する。湯沸かし容器２内の湯が減ってきた時には、蓋体４を開けて湯沸かし容器２に水を注ぐ。
【０００４】
【発明が解決しようとする課題】
しかしながら、前記従来の構成では、大容量化した湯沸かし容器２内の湯を保温するために保温電力が大きくなり、電力を無駄に消費していた。また、湯沸かし容器２に給水する場合には、蓋体４を開けて熱湯中に水を注ぐ必要があり、蒸気や湯の飛び散りなどに対する注意が必要であった。
【０００５】
本発明は、前記課題を解決するもので、湯沸かし容器の容量を小さくして必要量のみを保温し、保温電力の低減を図り、また、湯沸かし容器の蓋体を開けずに給水することができるようにして給水時の安全性を確保し、かつ湯沸かし容器への給水を確実に行えるようにした電気湯沸かし器を提供することを目的としている。
【０００６】
【課題を解決するための手段】
前記目的を達成するために、本発明の電気湯沸かし器は、湯沸かし容器と、湯沸かし容器に一端が接続され他端に注水口を設けた給水路と、注水口に水を供給する供給パイプを有した貯水タンクと、供給パイプの当接により開口される注水口弁とを備え、供給パイプには切り欠きまたは孔を設け、貯水タンクの水を注水口の一部分から注水するようにしたものである。
【０００７】
これにより、湯沸かし容器の容量を小さくして必要量のみを保温し、保温電力の低減を図り、また、湯沸かし容器の蓋体を開けずに貯水タンクへ給水することで給水時の安全性を確保し、かつ貯水タンクから湯沸かし容器への給水時に注水口からあふれることなく確実に水を供給することができる。
【０００８】
【発明の実施の形態】
請求項１に記載の発明は、湯沸かし容器を内蔵した本体と、前記湯沸かし容器に一端が接続され他端に注水口を設けた給水路と、前記注水口に水を供給する供給パイプを有した着脱自在な貯水タンクと、注水口に設けられ前記供給パイプの当接により開口される注水口弁とを備え、前記供給パイプに切り欠きまたは孔を設け、貯水タンクの水を注水口の一部分から注水する電気湯沸かし器としたことで、湯沸かし容器の容量を小さくして必要量のみを保温し、保温電力の低減を図り、また、湯沸かし容器の蓋体を開けずに貯水タンクへ給水することで給水時の安全性を確保し、かつ貯水タンクから湯沸かし容器への給水時に注水口の一部分から注水することで、給水路内の空気の排出路を確保し、注水口からあふれることなく確実に水を供給することができる。
【０００９】
請求項２に記載の発明は、注水口の内側面と注水口弁との隙間を不均一にした請求項１に記載の電気湯沸かし器としたことで、貯水タンクから湯沸かし容器に給水する時に水の膜が注水口の内側面と注水口弁の間にできるのを防ぎ、空気の排出をスムーズにすることができる。
【００１０】
請求項３に記載の発明は、注水口の下方に隔壁と孔を設け、前記隔壁の下に本体の傾斜により動作して前記孔を塞ぐ逆止弁を備えた請求項１または２に記載の電気湯沸かし器としたことで、貯水タンクをセットした状態で本体を転倒させてしまった場合に逆止弁で孔を塞ぎ、湯沸かし容器内の湯が流出するのを防ぐことができる。
【００１１】
請求項４に記載の発明は、逆止弁を収納した収納部の内側面と逆止弁との隙間を不均一にした請求項３に記載の電気湯沸かし器としたことで、貯水タンクから湯沸かし容器に給水する時に水の膜が収納部の内側面と逆止弁の間にできるのを防ぎ、収納部の空気の排出をスムーズにすることができる。
【００１２】
請求項５に記載の発明は、注水口の下方の孔位置を逆止弁に対し偏心させた請求項３または４に記載の電気湯沸かし器としたことで、貯水タンクから湯沸かし容器に給水する時に水は偏心させた側から入り、その反対側から空気が排出され給水が容易になる。
【００１３】
請求項６に記載の発明は、注水口弁を閉口方向に付勢する圧縮バネで支持し、圧縮バネの端面を載置するリブを隔壁の孔から径方向に設けた請求項３〜５のいずれか１項に記載の電気湯沸かし器としたことで、圧縮バネの端面がリブによって持ち上げられ、水が圧縮バネの端面の下を通り、給水路の空気は圧縮バネの間を通過することによって、水と空気が分離され給水が容易になる。
【００１４】
【実施例】
以下、本発明の実施例について、図面を参照して説明する。
【００１５】
（実施例１）
図１〜図３は本発明の実施例１における電気湯沸かし器を示すものである。
【００１６】
図において、１１は湯沸かし容器１２を内蔵した本体で、湯沸かし容器１２の底部には加熱手段である発熱体１３が設けられており、湯沸かし容器１２内の水を所定温度まで加熱する。湯沸かし容器１２内の湯は、導出手段であるポンプ１４によって導出口１５より本体１１の外へ導かれる。１６は本体１１内に設けられた給水路で、一端に設けた給水口２７が湯沸かし容器１２の下方に接続され、他端には注水口１７が設けられている。１８は注水口１７に取り付けられた注水口弁で、圧縮バネ１９に付勢されて注水口１７を塞いでいる。２０は本体１１に対して着脱自在に設けた貯水タンクで、貯水タンク２０の中には給水ポンプ３３および揚水路３４が取り付けられている。揚水路３４の先端には揚水路出口２３が設けられ、給水ポンプ３３により揚水された水は揚水路出口２３から貯水タンク２０の給水受け２４に注がれる。
【００１７】
そして、給水受け２４の底部には側面に切り欠き２１ａ（孔でもよい）のある供給パイプ２１が設けられ、注水口弁１８と一体のタンク弁２２で開閉される。貯水タンク２０を本体１１にセットすると、供給パイプ２１が注水口１７の中に入り込んで注水口弁１８を押し下げて注水口１７を開口する。
【００１８】
また、タンク弁２２は注水口弁１８によって押し上げられ供給パイプ２１を開口する。給水受け２４の水は供給パイプ２１とタンク弁２２の間を通り、切り欠き２１ａから注水口１７に注水される。
【００１９】
２５は発熱体１３やポンプ１４、給水ポンプ３３等を制御する制御部で、湯沸かし容器１２内の湯が一定量まで低下すると、給水ポンプ３３を駆動して貯水タンク２０内の水を揚水して湯沸かし容器１２に注ぐ。２６は湯沸かし容器１２の上部開口部を覆う蓋体である。
【００２０】
次に、前述した電気湯沸かし器の動作について説明する。貯水タンク２０に水を入れて本体１１にセットし通電すると、貯水タンク２０内の水が切り欠き２１ａから注水口１７に注水される。この時、切り欠き２１ａから水を注水しているため、一部分から注水され注水口１７の反対側には給水路１６内の空気を排出する排出路が確保される。湯沸かし容器１２に水が入って給水口２７が水で塞がれていても排出路が確保されているため、給水路１６を塞がれることなく水を供給することができる。
【００２１】
そして、湯沸かし容器１２に注がれた水は発熱体１３で沸かされて保温される。必要量を湯沸かし容器１２で沸かして保温し、余分の量を貯水タンク２０に沸かさずに貯えて湯を使った時に湯沸かし容器１２に補充するため、大容量の湯を保温する場合に比べ保温電力を低減することができる。
【００２２】
また、給水は貯水タンク２０から湯沸かし容器１２に行われるため、蓋体２６を開ける必要がなく蒸気や湯の飛び散りなどへの注意が不要となり安全性が確保できる。
【００２３】
（実施例２）
図４は本発明の実施例２における電気湯沸かし器の注水口を示すものである。
【００２４】
図において実施例１と相違する点について説明する。この実施例では、注水口１７の内側面１７ａを、例えば長円形として、内側面１７ａと注水口弁１８との隙間２７を不均一にしてある。
【００２５】
従って、貯水タンク２０から湯沸かし容器１２に給水する時に水の膜が内側面１７ａと注水口弁１８の間にできるのを、隙間２７を不均一にすることで、できにくくし空気の排出をスムーズにして注水口１７への給水をより確実に行うことができる。
【００２６】
（実施例３）
図５は本発明の実施例３における電気湯沸かし器の注水口弁の近傍部分を示すものである。
【００２７】
図において実施例１と相違する点について説明する。この実施例では、注水口１７の下方に隔壁２８と孔２９を設け、隔壁２８の下に本体１１の傾斜により移動（摺動）して孔２９を塞ぐ円錐型の逆止弁３０を備えたものである。
【００２８】
従って、貯水タンク２０をセットした状態で本体１１を転倒させてしまった場合には、注水口弁１８が開いているが逆止弁３０が移動して給水路１６の孔２９を塞ぎ、湯沸かし容器１２内の湯が注水口１７から流出するのを防ぐことができる。なお、孔２９を湯沸かし容器１２の満水位置よりも上方に設ければ、給水路１６内の湯の流出も防ぐことができる。
【００２９】
（実施例４）
図６は本発明の実施例４における電気湯沸かし器の逆止弁部分を示すものである。
【００３０】
図において実施例３と相違する点について説明する。この実施例では、逆止弁３０を収納した収納部１６ａの内壁１６ｂを、例えば長円形として、内壁１６ｂと逆止弁３０との空間３１を不均一にしてある。
【００３１】
従って、貯水タンク２０から湯沸かし容器１２に給水する時に水の膜が、内壁１６ｂと逆止弁３０の間にできる空間３１を不均一にすることで、できにくくし、給水路１６からの空気の排出をスムーズにして給水路１６が空気で塞がれるのを防ぐ。
【００３２】
（実施例５）
図７は本発明の実施例５における電気湯沸かし器の逆止弁部分を示すものである。
【００３３】
図において実施例３と相違する点について説明する。この実施例では、孔２９の位置を逆止弁３０に対し偏心させてある。
【００３４】
従って、貯水タンク２０から湯沸かし容器１２に給水する時に水は偏心させた側から入り、その反対側から空気が排出され給水がスムーズになる。
【００３５】
（実施例６）
図８、図９は本発明の実施例６における電気湯沸かし器の注水口弁の近傍部分を示すものである。
【００３６】
図において実施例３と相違する点について説明する。この実施例では、圧縮バネ１９の端面を載せるリブ３２を隔壁２８上に孔２９から径方向に設けてある。
【００３７】
従って、圧縮バネ１９の端面がリブ３２によって持ち上げられ、貯水タンク２０から湯沸かし容器１２に給水する時には、水は圧縮バネ１９の端面の下を通り、給水路１６の空気は圧縮バネ１９の間を通過する。よって、水と空気が分離され給水が容易になる。
【００３８】
【発明の効果】
以上、本発明の電気湯沸かし器によれば、湯沸かし容器の容量を小さくして必要量のみを保温し、保温電力の低減を図り、また、湯沸かし容器の蓋体を開けずに貯水タンクへ給水することで給水時の安全性を確保し、かつ貯水タンクから湯沸かし容器への給水時に注水口の一部分から注水することで、給水路内の空気の排出路を確保し、注水口からあふれることなく確実に水を供給することができる。
【図面の簡単な説明】
【図１】本発明の実施例１を示す電気湯沸かし器の断面図
【図２】同電気湯沸かし器の要部断面図
【図３】同電気湯沸かし器の供給パイプ部分の側面図
【図４】本発明の実施例２を示す電気湯沸かし器の要部平断面図
【図５】本発明の実施例３を示す電気湯沸かし器の要部縦断面図
【図６】本発明の実施例４を示す電気湯沸かし器の要部平断面図
【図７】本発明の実施例５を示す電気湯沸かし器の要部平面図
【図８】本発明の実施例６を示す電気湯沸かし器の要部平断面図
【図９】同電気湯沸かし器の要部縦断面図
【図１０】従来例を示す電気湯沸かし器の斜視図
【符号の説明】
１１  本体
１２  湯沸かし容器
１６  給水路
１６ａ  収納部
１６ｂ  内壁
１７  注水口
１７ａ  内側面
１８  注水口弁
１９  圧縮バネ
２０  貯水タンク
２１  供給パイプ
２１ａ  切り欠き
２２  タンク弁
２７  隙間
２８  隔壁
２９  孔
３０  逆止弁
３１  空間
３２  リブ
【図１】
0003633596.tif 000002
【図２】
0003633596.tif 000003
【図３】
0003633596.tif 000004
【図４】
0003633596.tif 000005
【図５】
0003633596.tif 000006
【図６】
0003633596.tif 000007
【図７】
0003633596.tif 000008
【図８】
0003633596.tif 000009
【図９】
0003633596.tif 000010
【図１０】
0003633596.tif 000011